(57)【要約】【課題】ボール循環部品をナットへの着脱が容易な構造としながら、ボール循環部品のナットに対する取り付け部分から潤滑剤が漏れないようにする。【解決手段】ボール循環部品１７は、ナット１４の取り付け穴２０に嵌合される一対の脚部１７１と、両脚部１７１をナット１４の外側で連結する中央部１７２とからなる。ボール循環部品１７の各脚部１７１および中央部１７２内には、ボールの通路が形成されている。脚部１７１の取り付け穴２０との嵌合部の周方向全体に、凸部１７３が形成されている。この凸部１７３により、ボール循環部品１７の脚部１７１が、ナット１４の取り付け穴２０に対して「締まりばめ」で嵌合される。【選択図】図３
2007218383.tif 000002
【特許請求の範囲】
【請求項１】
外周面に螺旋状の溝が形成されたねじ軸と、内周面に螺旋状の溝が形成されたナットと、ねじ軸の溝とナットの溝が互いに対向して形成される軌道の終点と始点を連結する戻し路と、この戻し路内および前記軌道内に配置された複数のボールと、を備えたボールねじにおいて、
前記戻し路を形成する部品として、ナットの外周部に設けた取り付け穴に嵌合される一対の脚部と、両脚部をナットの外側で連結する中央部とからなり、各脚部にボールを軌道からすくい上げる通路と軌道にボールを戻す通路が形成され、中央部に前記両通路を連通させる中央通路が形成されたボール循環部品を備え、
前記脚部の前記取り付け穴との嵌合部に凸部を有し、この凸部により前記脚部が前記取り付け穴に対して「締まりばめ」とされていることを特徴とするボールねじ。
【請求項２】
外周面に螺旋状の溝が形成されたねじ軸と、内周面に螺旋状の溝が形成されたナットと、ねじ軸の溝とナットの溝が互いに対向して形成される軌道の終点と始点を連結する戻し路と、この戻し路内および前記軌道内に配置された複数のボールと、を備えたボールねじの前記戻し路を形成するボール循環部品であって、
ナットの外周部に設けた取り付け穴に嵌合される一対の脚部と、両脚部をナットの外側で連結する中央部とを有し、
各脚部にボールを軌道からすくい上げる通路と軌道にボールを戻す通路が形成され、中央部に前記両通路を連通させる中央通路が形成され、
前記脚部の前記取り付け穴との嵌合部に凸部を有することを特徴とするボール循環部品。
【請求項３】
外周面に螺旋状の溝が形成されたねじ軸と、内周面に螺旋状の溝が形成されたナットと、ねじ軸の溝とナットの溝が互いに対向して形成される軌道の終点と始点を連結する戻し路と、この戻し路内および前記軌道内に配置された複数のボールと、を備えたボールねじにおいて、
前記戻し路を形成する部品として、ナットの外周部に設けた取り付け穴に嵌合される一対の脚部と、両脚部をナットの外側で連結する中央部とからなり、各脚部にボールを軌道からすくい上げる通路と軌道にボールを戻す通路が形成され、中央部に前記両通路を連通させる中央通路が形成されたボール循環部品を備え、
このボール循環部品は、前記通路の幅方向で二分割された分割体を組み合わせて組み立てられ、前記中央部の外面に凸部を有し、
このボール循環部品をナットに固定する部品として、ボール循環部品全体を外側から覆うキャップを有する取り付け部品を備え、この取り付け部品を用いて、ボール循環部品の中央部が前記キャップに対して前記凸部により「締まりばめ」とされていることを特徴とするボールねじ。
【請求項４】
外周面に螺旋状の溝が形成されたねじ軸と、内周面に螺旋状の溝が形成されたナットと、ねじ軸の溝とナットの溝が互いに対向して形成される軌道の終点と始点を連結する戻し路と、この戻し路内および前記軌道内に配置された複数のボールと、を備えたボールねじの前記戻し路を形成するボール循環部品であって、
ナットの外周部に設けた取り付け穴に嵌合される一対の脚部と、両脚部をナットの外側で連結する中央部とからなり、
各脚部にボールを軌道からすくい上げる通路と軌道にボールを戻す通路が形成され、中央部に前記両通路を連通させる中央通路が形成され、
前記通路の幅方向で二分割された分割体を組み合わせて組み立てられ、
ボール循環部品の全体を外側から覆うキャップを有する取り付け部品を用いて、ナットに固定され、
前記中央部に凸部を有することを特徴とするボール循環部品。
【発明の詳細な説明】
【技術分野】
【０００１】
この発明は、ボールねじとそのボール循環部品に関する。
【背景技術】
【０００２】
ボールねじは、外周面に螺旋状の溝が形成されたねじ軸と、内周面に螺旋状の溝が形成されたナットと、ねじ軸の溝とナットの溝が互いに対向して形成される軌道の終点と始点を連結する戻し路と、この戻し路内および前記軌道内に配置された複数のボールと、を備えた装置である。
従来のボールねじでは、戻し路を形成するボール循環部品として、一般にチューブが用いられ、チューブの両端が、ナットの外周部に設けた取り付け穴に嵌合されている。
【０００３】
また、下記の特許文献１には、チューブに代わるボール循環部品が提案されている。このボール循環部品は、ナットの外周部に設けた取り付け穴に嵌合される一対の脚部と、両脚部をナットの外側で連結する中央部とからなり、各脚部にボールを軌道からすくい上げる通路と軌道にボールを戻す通路が形成され、中央部に前記両通路を連通させる中央通路が形成されている。また、このボール循環部品は、一対の脚部が、ねじ軸のリード角に対応するように、中央部に対して互いに異なる方向に所定角度傾けられていても、容易に製造できるように、前記通路の幅方向で二分割された分割体を組み合わせて組み立てられている。
【特許文献１】特開２００３−２３２４２１号公報
【発明の開示】
【発明が解決しようとする課題】
【０００４】
特許文献１に記載されたボール循環部品も従来のチューブと同様に、ナットの取り付け穴と脚部との隙間から潤滑剤が漏れることを防止する必要がある。特に、ねじ軸を固定して、ナット側を回転させて使用する場合には、遠心力や負圧が生じて潤滑剤の漏れが生じ易いため、潤滑剤の飛散を嫌う環境では対策が不可欠である。この対策として、前記隙間をＯリングやシール剤で塞ぐ方法があるが、この方法では、予圧量調整等のためにボール循環部品をナットから外したり取り付けたりを頻繁にする際の手間が大きい。
本発明は、ボール循環部品をナットへの着脱が容易な構造としながら、ボール循環部品のナットに対する取り付け部分から潤滑剤が漏れないようにすることを課題とする。
【課題を解決するための手段】
【０００５】
上記課題を解決するために、本発明は、外周面に螺旋状の溝が形成されたねじ軸と、内周面に螺旋状の溝が形成されたナットと、ねじ軸の溝とナットの溝が互いに対向して形成される軌道の終点と始点を連結する戻し路と、この戻し路内および前記軌道内に配置された複数のボールと、を備えたボールねじにおいて、前記戻し路を形成する部品として、ナットの外周部に設けた取り付け穴に嵌合される一対の脚部と、両脚部をナットの外側で連結する中央部とからなり、各脚部にボールを軌道からすくい上げる通路と軌道にボールを戻す通路が形成され、中央部に前記両通路を連通させる中央通路が形成されたボール循環部品を備え、前記脚部の前記取り付け穴との嵌合部に凸部を有し、この凸部により前記脚部が前記取り付け穴に対して「締まりばめ」とされていることを特徴とするボールねじを提供する。
【０００６】
本発明はまた、外周面に螺旋状の溝が形成されたねじ軸と、内周面に螺旋状の溝が形成されたナットと、ねじ軸の溝とナットの溝が互いに対向して形成される軌道の終点と始点を連結する戻し路と、この戻し路内および前記軌道内に配置された複数のボールと、を備えたボールねじの前記戻し路を形成するボール循環部品であって、ナットの外周部に設けた取り付け穴に嵌合される一対の脚部と、両脚部をナットの外側で連結する中央部とを有し、各脚部にボールを軌道からすくい上げる通路と軌道にボールを戻す通路が形成され、中央部に前記両通路を連通させる中央通路が形成され、前記脚部の前記取り付け穴との嵌合部に凸部を有することを特徴とするボール循環部品を提供する。
【０００７】
前記凸部は、前記脚部が前記取り付け穴に対して「締まりばめ」となる寸法で設けるか微小隙間（０〜１００μｍ）となる寸法で設ける。
本発明はまた、外周面に螺旋状の溝が形成されたねじ軸と、内周面に螺旋状の溝が形成されたナットと、ねじ軸の溝とナットの溝が互いに対向して形成される軌道の終点と始点を連結する戻し路と、この戻し路内および前記軌道内に配置された複数のボールと、を備えたボールねじにおいて、前記戻し路を形成する部品として、ナットの外周部に設けた取り付け穴に嵌合される一対の脚部と、両脚部をナットの外側で連結する中央部とからなり、各脚部にボールを軌道からすくい上げる通路と軌道にボールを戻す通路が形成され、中央部に前記両通路を連通させる中央通路が形成されたボール循環部品を備え、このボール循環部品は、前記通路の幅方向で二分割された分割体を組み合わせて組み立てられ、前記中央部の外面に凸部を有し、このボール循環部品をナットに固定する部品として、ボール循環部品全体を外側から覆うキャップを有する取り付け部品を備え、この取り付け部品を用いて、ボール循環部品の中央部が前記キャップに対して前記凸部により「締まりばめ」とされていることを特徴とするボールねじを提供する。
【０００８】
本発明はまた、外周面に螺旋状の溝が形成されたねじ軸と、内周面に螺旋状の溝が形成されたナットと、ねじ軸の溝とナットの溝が互いに対向して形成される軌道の終点と始点を連結する戻し路と、この戻し路内および前記軌道内に配置された複数のボールと、を備えたボールねじの前記戻し路を形成するボール循環部品であって、ナットの外周部に設けた取り付け穴に嵌合される一対の脚部と、両脚部をナットの外側で連結する中央部とからなり、各脚部にボールを軌道からすくい上げる通路と軌道にボールを戻す通路が形成され、中央部に前記両通路を連通させる中央通路が形成され、前記通路の幅方向で二分割された分割体を組み合わせて組み立てられ、ボール循環部品の全体を外側から覆うキャップを有する取り付け部品を用いて、ナットに固定され、前記中央部に凸部を有することを特徴とするボール循環部品を提供する。
前記凸部は、前記中央部が前記キャップに対して「締まりばめ」となる寸法で設けるか微小隙間（０〜１００μｍ）となる寸法で設ける。
【発明の効果】
【０００９】
本発明のボールねじによれば、ボール循環部品の脚部のナットの取り付け穴との嵌合部に凸部を設け、この凸部により前記脚部が前記取り付け穴に対して「締まりばめ」とされていることにより、ボール循環部品をナットへの着脱が容易な構造としながら、ボール循環部品の脚部のナットに対する取り付け部分から潤滑剤が漏れないようにすることができる。
【００１０】
また、ボール循環部品が分割体からなり、ボール循環部品全体を外側から覆うキャップを有する取り付け部品を用いてボール循環部品をナットに取り付ける場合には、ボール循環部品の中央部に凸部を設け、この凸部によりボール循環部品の中央部が前記キャップに対して「締まりばめ」とされていることにより、ボール循環部品をナットへの着脱が容易な構造としながら、前記分割体同士の接合面やキャップとボール循環部品との間から潤滑剤が漏れないようにすることができる。
【発明を実施するための最良の形態】
【００１１】
以下、本発明の実施形態について説明する。
図１は、この実施形態のボールねじを示す図であり、戻し路を含むボールの軌道が分かるように描かれている。図２は、ナットの平面図であって、ボール循環部品を取り付ける前の状態を示す。図３は、この実施形態のボール循環部品を示す斜視図である。
図１に示すように、このボールねじ１０は、ねじ軸１２と、ナット１４と、ボール１５と、ボール循環部品１７を備えている。ねじ軸１２の外周面に、螺旋状の溝１１が形成されている。ナット１４の内周面に、螺旋状の溝１３が形成されている。ねじ軸１２の溝１１とナット１４の溝１３は同じ螺旋状である。ねじ軸１２にナット１４が遊嵌され、両者の螺旋状溝１１，１２が互いに対向している部分に軌道８が形成され、この軌道８にボール１５が配置されている。
【００１２】
図１および２に示すように、ナット１４の外周面に矩形状の平坦面１６が形成され、この平坦面１６にナット１４の厚さ方向を貫通するように、ボール循環部品１７の脚部１７１を嵌合する取り付け穴２０が形成されている。取り付け穴２０は、軌道８の始点および終点に相当する位置に形成されている。また、図２に示すように、この平坦面１６には、ボール循環部品１７をナット１４に固定するためのねじ穴２００が形成されている。
【００１３】
図３に示すように、ボール循環部品１７は、ナット１４の取り付け穴２０に嵌合される一対の脚部１７１と、両脚部１７１をナット１４の外側で連結する中央部１７２とからなる。そして、脚部１７１の取り付け穴２０との嵌合部の周方向全体に、凸部１７３が形成されている。図４に示すように、この凸部１７３の断面形状は半円である。
また、このボール循環部品１７は、分割線ＰＬで二分割された分割体を組み合わせて組み立てられたものである。図５にこの分割体１７０を示す。分割体１７０は、脚部分割体１７１ａと中央部分割体１７２ａとからなる。この分割体１７０は熱可塑性樹脂を射出成形する等の方法で製造することができる。
【００１４】
図５から、ボール循環部品１７の内部が分かる。すなわち、ボール循環部品１７の各脚部１７１および中央部１７２内には、ボール１５の通路２１，２２が形成されている。各脚部１７１内の通路２１は、ボール５を軌道８からすくい上げる通路と軌道８にボール５を戻す通路である。中央部１７２の通路２２は、脚部１７１の両通路２１を連通させる中央通路である。
【００１５】
このボール循環部品１７をナット１４に取り付ける際には、図６に示すように、ボール循環部品１７の脚部１７１が、ナット１４の取り付け穴２０に対して、凸部１７３により「締まりばめ」で嵌合される。そして、脚部１７１を取り付け穴２０に嵌合した後、ねじ穴２００を利用して、ボール循環部品１７を押さえ部材等で固定する。
これにより、ボール循環部品１７の脚部１７１とナット１４の取り付け穴２０との間から潤滑剤が漏れないようになる。また、このボール循環部品１７は、脚部１７１に設けた凸部１７３が図４に示す形状であるため、ナット１４の取り付け穴２０への脚部１７１の着脱が容易である。
【００１６】
なお、この実施形態では、ボール循環部品１７の脚部１７１の取り付け穴２０との嵌合部の周方向全体に、連続的に凸部１７３が形成されているが、図７に示すように、脚部１７１の長さ方向の複数箇所に凸部１７３を不連続に設けてもよい。その場合、複数箇所に設けた凸部１７３により、結果として、嵌合部の周方向全体がカバーできるようになっていることが好ましい。
【００１７】
また、この実施形態では、ボール循環部品１７の脚部１７１の取り付け穴２０との嵌合部に凸部１７３が形成されているが、ボール循環部品の全体を上側から覆うキャップを備えた取り付け部品を用いて、ボール循環部品をナットに固定する場合には、脚部１７１に凸部１７３を設けずに、図８に示すように、中央部１７２に前記キャップに対して「締まりばめ」となるような凸部１７４を設けてもよい。
【００１８】
このボール循環部品１７Ａをナット１４に取り付ける際には、図９に示すように、ボール循環部品１７の脚部１７１を、ナット１４の取り付け穴２０に嵌合した後、ねじ穴２００を利用して、ボール循環部品１７を取り付け部品１８で固定する。この取り付け部品１８は、ボール循環部品１７Ａ全体を外側から覆うキャップ１８１と、ねじ穴２００に対応する穴が形成された取り付け板１８２とからなり、取り付け板１８２がキャップ１８１と一体に形成されている。
【００１９】
具体的には、ボール循環部品１７Ａをキャップ１８１で覆うようにして、取り付け部品１８をナット１４の平坦面１６上に配置し、取り付け板１８２の穴を介してねじ穴２００にボルトを螺合する。その際に、ボール循環部品１７Ａの中央部１７２に設けた凸部１７４が、キャップ１８１に対して「締まりばめ」となる。これにより、ボール循環部品１７の分割体同士の接合面（分割線ＰＬに沿った面）から潤滑剤が漏れないようになる。
【００２０】
また、図８のボール循環部品１７Ａの脚部１７１に凸部１７３を設けて、この凸部１７３により脚部１７１をナット１４の取り付け穴２０に対して「締まりばめ」で嵌合すれば、ボール循環部品１７の分割体同士の接合面からだけでなく、脚部１７１と取り付け穴２０との間からの潤滑剤漏れも防止できる。
また、ボール循環部品の脚部１７１に設ける凸部１７３および中央部１７２に設ける凸部１７４の断面形状は、図４に示すような半円形であってもよいし、図１０および１１に示すような三角形のものであってもよい。
【図面の簡単な説明】
【００２１】
【図１】本発明の一実施形態のボールねじを示す図である。
【図２】ナットの平面図であって、ボール循環部品を取り付ける前の状態を示す。
【図３】本発明の一実施形態のボール循環部品を示す斜視図である。
【図４】ボール循環部品の脚部に設けた凸部の断面形状を示す図である。
【図５】図３のボール循環部品の分割体を示す斜視図である。
【図６】ナットの取り付け穴に、図３のボール循環部品の脚部を嵌合した状態を示す平面図である。
【図７】本発明の一実施形態のボール循環部品を示す斜視図である。
【図８】本発明の一実施形態のボール循環部品を示す斜視図である。
【図９】図８のボール循環部品のナットに対する取り付け方法を説明する図である。
【図１０】凸部の断面形状の図４とは異なる例を示す断面図である。
【図１１】凸部の断面形状の図４とは異なる例を示す断面図である。
【符号の説明】
【００２２】
８  軌道
１０  ボールねじ
１１  螺旋状の溝
１２  ねじ軸
１３  螺旋状の溝
１４  ナット
１５  ボール
１６  ナットの外周の平坦面
１７  ボール循環部品
１７Ａ  ボール循環部品
１７０  分割体
１７１  脚部
１７１ａ  脚部分割体
１７２  中央部
１７２ａ  中央部分割体
１７３  脚部の凸部
１７４  中央部の凸部
１８  取り付け部品
１８１  キャップ
１８２  取り付け板
２０  取り付け穴
２１  脚部の通路
２２  中央部の通路
２００  ねじ穴
ＰＬ  分割線
【図１】
2007218383.tif 000003
【図２】
2007218383.tif 000004
【図３】
2007218383.tif 000005
【図４】
2007218383.tif 000006
【図５】
2007218383.tif 000007
【図６】
2007218383.tif 000008
【図７】
2007218383.tif 000009
【図８】
2007218383.tif 000010
【図９】
2007218383.tif 000011
【図１０】
2007218383.tif 000012
【図１１】
2007218383.tif 000013